(57)【要約】【課題】２つの筐体をスライドさせ、操作キーの一部が露出した半開状態を維持することができる携帯端末を提供する。【解決手段】複数の機能を有する携帯電話機１は、上筐体１０と、複数のキーが配置された下筐体２０と、上筐体１０を下筐体２０に対して、複数のキーが操作可能となるようにスライドさせるスライド部と、スライド部によるスライドを段階的に調整する複数の磁石Ｍ１１〜Ｍ１８，Ｍ２１〜Ｍ２８とを有する。各々の磁石は、スライドが調整される度に操作可能となったキーによって異なる機能が使用可能となるように、上筐体１０および下筐体２０のスライド方向に沿って配置されている。【選択図】図４
2009267869.tif 000002
【特許請求の範囲】
【請求項１】
複数の機能を有する携帯端末であって、
第１の筐体と、
複数のキーが配置された第２の筐体と、
前記第１の筐体を前記第２の筐体に対して、前記複数のキーが操作可能となるようにスライドさせるスライド部と、
前記スライド部によるスライドを段階的に調整する複数の調整部とを有し、
前記各々の調整部は、
前記スライドが調整される度に操作可能となったキーによって異なる機能が使用可能となるように、前記第１の筐体および前記第２の筐体のスライド方向に沿って配置されている
携帯端末。
【請求項２】
前記各々の調整部は、磁石を含み、
前記第１の筐体には、第１の極となるように、少なくとも一つの前記磁石が配置され、
前記第２の筐体には、前記第１の極と異なる極となるように、複数の前記磁石が配置されている
請求項１に記載の携帯端末。
【請求項３】
前記第１の筐体に配置された磁石および前記第２の筐体に配置された磁石は、
スライド方向に沿って各々の筐体の両側に配置されている
請求項２記載の携帯端末。
【請求項４】
前記調整部によって調整された前記スライドの段階を検出する検出部と、
前記検出部の検出結果に応じたアプリケーションを起動させる起動部とを有する
請求項１から３のいずれか一に記載の携帯端末。
【請求項５】
前記複数の機能には、被写体を撮像するカメラ機能が含まれ、
前記起動部は、
前記スライドが第１の段階に調整された場合には、前記カメラ機能に関するアプリケーションを起動させる
請求項１から４のいずれか一に記載の携帯端末。
【発明の詳細な説明】
【技術分野】
【０００１】
本発明は、２つの筐体がスライドする携帯電話機等の携帯端末に関するものである。
【背景技術】
【０００２】
近年の携帯電話機等の携帯端末には、単一の筐体で構成されたストレート型に加え、２つの筐体が折りたためるように設計された折りたたみ型や、２つの筐体の一方をスライドさせて使用するスライド型等のタイプが存在する。
【０００３】
スライド型携帯端末は、例えば液晶ディスプレイ（ＬＣＤ；Liquid Crystal Display ）や有機ＥＬ（Electro-Luminescence）等の表示デバイスを有する上筐体と、操作キーやＣＰＵ等の制御デバイスを有する下筐体とで構成されている。２つの筐体を閉じると、下筐体の操作キーが上筐体に覆われ、２つの筐体を開くと、下筐体の操作キーが露出するように、上筐体が下筐体に対してスライド可能に結合されている。
【０００４】
２つの筐体の開閉状態を維持するため、特許文献１が開示するスライド型携帯端末では、バネ等の付勢力を付与する弾性力の代わりに、上筐体に３つの磁石が、下筐体に１つの磁石が配置されている。特許文献２が開示する移動体通信端末装置は、コイル等で構成された電磁石によって自動的に上下筐体がスライドするように工夫がされている。
【特許文献１】特開２００７−２８８４３６号公報
【特許文献２】特開２００３−３４８２０４号公報
【発明の開示】
【発明が解決しようとする課題】
【０００５】
しかしながら、特許文献１および２が開示する携帯端末は、２つの筐体をスライドさせる途中の状態、すなわち操作キーの一部が露出した半開状態を維持することができない。従来のスライド型携帯端末は、２つの筐体をスライドさせるに過ぎず、筐体の開閉状態に応じて、例えばカメラ機能などが使用可能となるような工夫はなされていない。
【０００６】
本発明は、２つの筐体をスライドさせ、操作キーの一部が露出した半開状態を維持することができる携帯端末を提供することにある。
【課題を解決するための手段】
【０００７】
本発明の携帯端末は、複数の機能を有する携帯端末であって、第１の筐体と、複数のキーが配置された第２の筐体と、前記第１の筐体を前記第２の筐体に対して、前記複数のキーが操作可能となるようにスライドさせるスライド部と、前記スライド部によるスライドを段階的に調整する複数の調整部とを有し、前記各々の調整部は、前記スライドが調整される度に操作可能となったキーによって異なる機能が使用可能となるように、前記第１の筐体および前記第２の筐体のスライド方向に沿って配置されている。
【０００８】
好適には、前記各々の調整部は、磁石を含み、前記第１の筐体には、第１の極となるように、少なくとも一つの前記磁石が配置され、前記第２の筐体には、前記第１の極と異なる極となるように、複数の前記磁石が配置されている。
【０００９】
好適には、前記第１の筐体に配置された磁石および前記第２の筐体に配置された磁石は、スライド方向に沿って各々の筐体の両側に配置されている。
【００１０】
好適には、前記調整部によって調整された前記スライドの段階を検出する検出部と、前記検出部の検出結果に応じたアプリケーションを起動させる起動部とを有する。
【００１１】
好適には、前記複数の機能には、被写体を撮像するカメラ機能が含まれ、前記起動部は、前記スライドが第１の段階に調整された場合には、前記カメラ機能に関するアプリケーションを起動させる。
【発明の効果】
【００１２】
本発明によれば、２つの筐体をスライドさせ、操作キーの一部が露出した半開状態を維持することができる。
【発明を実施するための最良の形態】
【００１３】
以下、本発明の実施形態を図面に関連付けて説明する。
【００１４】
図１は、本実施形態に係る携帯電話機の外観斜視図であり、図１（Ａ）は閉状態を、図１（Ｂ）は開状態を示している。図２は、本実施形態に係る携帯電話機の背面側の外観斜視図である。ただし図２は、開状態を示している。図３は、本実施形態に係るスライド機構を説明するための携帯電話機の断面図であり、図３（Ａ）は閉状態を、図３（Ｂ）は開状態を示している。ただし、図３は説明を簡略化するため、説明と関連性のある構成要素のみを図示している。
【００１５】
携帯端末としての携帯電話機１は、３段階にスライド調整可能なスライド機構を有し、互いに上下方向に段階的にスライドできる上筐体（本発明の第１の筐体に対応する）１０および（本発明の第２の筐体に対応する）下筐体２０で構成されている。具体的には、上筐体１０および下筐体２０は、上筐体１０の背面Ｓ１と、下筐体２０の正面Ｓ３とを対向させて重ね合わされて連結されている。上筐体１０および下筐体２０は、図１（Ａ）に示す状態から上筐体１０が上方側へ下筐体２０が下方側へ相対的にスライドすることにより閉状態から開状態へ段階的に移行し、図１（Ｂ）に示す状態から上筐体１０が下方側へ下筐体２０が上方側へ相対的にスライドすることにより開状態から閉状態へ段階的に移行する。３段階にスライド調整可能なスライド機構を実現するため、図１〜図３に図示しない上下筐体内部に複数の磁石（本発明の調整部に対応する）が配置されているが、その詳細については後述する。
【００１６】
上筐体１０及び下筐体２０は、各々がほぼ薄型直方体に形成され、閉状態では、一方の筐体側から他方の筐体側を見たときに互いの輪郭が略一致する。開状態では、閉状態よりも互いの重なりが小さくなり、例えば、互いの筐体の略半分の面積において重なる。上筐体１０の背面Ｓ１、正面Ｓ２、下筐体２０の正面Ｓ３、下筐体２０の背面Ｓ４は、互いに略平行になるように形成されている。
【００１７】
上筐体１０は、正面側ケース２と、その背面側に固定される背面板３（図２を参照）とを有する。正面側ケース２及び背面板３は、例えば非導電性の樹脂によりそれぞれ成形されている。上筐体１０の正面Ｓ２には、通話用のスピーカ１１が設けられている。
【００１８】
上筐体１０の正面Ｓ２には、例えば液晶ディスプレイや有機ＥＬ等で構成された表示部１２、多方向キー１３１やファンクションキー１３２等の各種キーが設けられている。表示部１２は、例えば、スピーカ１１の下方側に配置されている。多方向キー１３１やファンクションキー１３２は、 表示部１２の下方側に配置されている。
【００１９】
下筐体２０は、正面側ケース５と、その背面側に固定される背面側ケース６と、背面側ケース６の背面側に被せられる蓋体７とを有する。正面側ケース５、背面側ケース６および蓋体７は、例えば非導電性の樹脂によりそれぞれ成形されている。下筐体２０の正面Ｓ３には、通話用のマイクロフォン２１が設置されている。
【００２０】
下筐体２０の正面Ｓ３には、ダイヤルキー２２１等の各種キーが設けられている。ダイヤルキー２２１は、マイクロフォン２１の上方側に配置されている。なお、マイクロフォン２１およびダイヤルキー２２１は、下筐体２０の正面Ｓ３のうち、閉状態において上筐体１０により被覆され、開状態において露出する範囲に配置されている。なお、スライド部材８および後述の電気接触部８１によって、本発明のスライド部が構成されている。
【００２１】
図２に図示するように、上筐体１０の背面Ｓ１には、背面Ｓ１に沿ってスライド可能なスライド部材８が設けられている。したがって、上筐体１０は、スライド部材８に沿って、図２（Ａ）に示す上限位置から下限位置（図１（Ａ）に示す閉状態）へ、あるいはその逆にスライド可能となる。上筐体１０の背面Ｓ１には、上部にレンズ１４が設けられている。
【００２２】
スライド部材８は、上筐体１０の背面Ｓ１のうち、閉状態において下筐体２０に被覆され、開状態において露出する範囲内においてスライド可能に設けられている。具体的には、上限位置においてはスライド部材８の上方側の大部分が上筐体１０から露出し、下限位置においてはスライド部材８の上方側の端部が上筐体１０から露出するが、いずれの位置における露出部分も、閉状態においては下筐体２０に被覆されて視認されない。
【００２３】
電気接触部８１は、上筐体１０および下筐体２０内部の回路基板同士を電気的に接続するために、スライド部材８と平行に設けられている。図３（Ａ）に図示するように、伝導性の信号伝達部２３は、上筐体１０の回路基板１０Ａ上にレイアウトされた図示しない電気配線と、下筐体２０の回路基板２０Ａ上にレイアウトされた図示しない電気配線とを電気的に接続するために設けられている。上筐体１０が下筐体２０に対し、図３（Ａ）に図示する閉状態から図３（Ｂ）に図示する開状態にスライドしても、信号伝達部２３によって上下筐体の回路基板は電気的に接続される。なお、電気接触部８１は、スライド部材８と平行に複数設けられていてもよい。
【００２４】
次に、本実施形態の特徴である３段階にスライド調整可能なスライド機構について説明する。図４は、本実施携帯に係るスライド機構について説明するための上下筐体の斜視図であり。図４（Ａ）は閉状態を、図４（Ｂ）は１段階スライドしたときの状態を、図４（Ｃ）は２段階スライドしたときの状態を、図４（Ｃ）は３段階スライドしたときの状態（開状態）をそれぞれ示している。図５は、本実施携帯に係るスライド機構について説明するための上下筐体の断面図である。ただし、図５（Ａ）〜（Ｄ）は、図４に示す上下筐体の右脇Ｒの断面図であり、図４（Ａ）〜（Ｄ）に示す状態にそれぞれ対応している。図４および図５は、スライド機構の説明に関連性のある要素のみを図示している。
【００２５】
図４（Ａ）に図示する状態は、下筐体２０のマイクロフォン２１やダイヤルキー２２１が上筐体１０によって被覆された閉状態である。上筐体１０の右脇Ｒには、４つの磁石Ｍ１１〜Ｍ１４がスライド部材８のスライド方向に所定間隔で配置され、上筐体１０の左脇Ｌにも、４つの磁石Ｍ１５〜Ｍ１８がスライド部材８のスライド方向に所定間隔で配置されている。下筐体２０の右脇Ｒには、４つの磁石Ｍ２１〜Ｍ２４がスライド部材８のスライド方向に所定間隔で配置され、下筐体２０の左脇Ｌにも、４つの磁石Ｍ２５〜Ｍ２８がスライド部材８のスライド方向に所定間隔で配置されている。
【００２６】
具体的には、図５（Ａ）に図示する断面図のように、上筐体１０の右脇Ｒには、４つの磁石Ｍ１１〜Ｍ１４の極性が上筐体１０の背面Ｓ１に対してＮ極となるように、当該筐体の下方（多方向キー１３１やファンクションキー１３２付近）に配置され、上筐体１０の左脇Ｌにも右脇Ｒと同様に４つの磁石Ｍ１５〜Ｍ１８が配置されている。下筐体２０の右脇Ｒには、４つの磁石Ｍ２１〜Ｍ２４の極性が下筐体２０の正面Ｓ３に対してＳ極となるように、当該筐体の下方（ダイヤルキー２２１付近）に配置され、下筐体２０の左脇Ｌにも右脇Ｒと同様に４つの磁石Ｍ２５〜Ｍ２８が配置されている。すなわち、上筐体１０の磁石Ｍ１１〜Ｍ１８と、下筐体２０の磁石Ｍ２１〜Ｍ２８とが、互いに磁力で吸磁するように配置されている。
【００２７】
図４（Ｂ）に図示する状態は、図４（Ａ）に示す状態から一段階スライドした状態（第１のスライド状態と呼ぶ）であり、下筐体２０のダイヤルキー２２１の一部が露出している。図５（Ｂ）に図示するように、スライドによって、磁石Ｍ１１（Ｍ１５）とＭ２２（Ｍ２６）とが、磁石Ｍ１２（Ｍ１６）とＭ２３（Ｍ２７）とが、磁石Ｍ１３（Ｍ１７）とＭ２４（Ｍ２４）とが吸磁し（引き合い）しているため、上下筐体が第１スライド状態に保持されている。各々の磁石のスライド方向の配置間隔は、図５（Ｂ）に図示するように、露出させたいダイヤルキー２２１のスライド長Ｌ１に対応させる。第１のスライド状態では、上筐体１０の背面Ｓ１に設けられたレンズ１４が露出し、後述するカメラ機能を使用するためのズームや露出調整に対応させたキーが露出している。
【００２８】
図４（Ｃ）図示する状態は、第１のスライド状態から一段階スライドした状態（第２のスライド状態と呼ぶ）である。図５（Ｃ）に図示するように、スライドによって、磁石Ｍ１１（Ｍ１５）とＭ２３（Ｍ２７）とが、磁石Ｍ１２（Ｍ１６）とＭ２４（Ｍ２８）とが吸磁しているため、上下筐体が第２スライド状態に保持されている。第２のスライド状態では、ワンセグ機能を操作するためのチャネル選択や音量調整に対応させたキーが露出している。このときのスライド長Ｌ２は、後述するワンセグ機能を使用するために必要なキーを露出させるスライド長である。
【００２９】
図４（Ｄ）に図示する状態は、第２のスライド状態から一段階スライドした開状態である。図５（Ｄ）に図示するように、スライドによって、磁石Ｍ１１（Ｍ１５）とＭ２４（Ｍ２８）とが吸磁しているため、上下筐体が開状態に保持されている。このとき上筐体１０のすべてのキー（すなわちダイヤルキー２２１）が露出している。
【００３０】
上述したように、磁石Ｍ１１〜Ｍ１８、Ｍ２１〜Ｍ２８は、上筐体１０が下筐体２０に対してスライドしたときのスライド状態を磁石の吸磁力によって保持するために使用される。したがって、上下筐体のスライド状態が保持できれば、例えば磁石Ｍ１１〜Ｍ１４を上筐体１０筐体の中心付近に、磁石Ｍ２１〜Ｍ２４を下筐体２０筐体の中心付近に、上下筐体が互いに引き合うように配置することもできる。
【００３１】
次に、携帯電話機１の主要構成例について説明する。図６は、本実施携帯に係る携帯電話機の主要構成例を示すブロック図である。
【００３２】
図６に図示する携帯電話機１の上筐体１０には、スピーカ１１、表示部１２、上筐体用の操作部１３、レンズ１４、撮像素子１５、カメラ信号処理部１６、上筐体用の音声処理部１７、および磁石Ｍ１１〜Ｍ１８が好適に設置されている。下筐体２０には、マイクロフォン２１、下筐体用の操作部２２、信号伝達部２３、下筐体用の音声処理部２４、検出部２５、制御部２６、アプリケーション起動部２６１、記憶部２７、通信部２８、ワンセグ受信部２９、および磁石Ｍ２１〜Ｍ２８が好適に配置されている。
【００３３】
携帯電話機１は、被写体を撮像できるカメラ機能、「地上デジタルテレビジョン放送１セグメント部分受信サービス（ワンセグという）」を利用できるワンセグ機能、図示しない基地局と通信し、図示しないネットワークを介して、音声通話、電子メールの作成とその送受信、ＷＥＢサイトやコンテンツデータ（例えば動画像、静止画像）の閲覧等を行う機能を有する。
【００３４】
これらの機能は、上筐体１０がスライドし、所定時間経過後（好ましくは１秒程度経過後）に、各々の機能に対応したアプリケーションが自動的に立ち上がることによって使用可能となる。これらの機能が、露出した下筐体の２０の所定のキー（例えばダイヤルキー２２１の「＊」キー）が押下された後に、使用可能となるようにすることもできる。その際に、例えば第１のスライド状態において、露出したダイヤルキー２２１の各々のキー（例えば、「＊」キー、「０」キー、「＃」キー）に異なった機能のアプリケーションを割り当て、キーごとに異なるアプリケーションが立ち上がるようにしてもよい。
【００３５】
表示部１２は、例えば液晶表示パネルや有機ＥＬ（Electro-Luminescence）パネル等の表示デバイスが上筐体１０に設けられ、制御部２６から供給された映像信号に応じた種々の情報を表示する。
【００３６】
操作部１３は、例えば多方向キー１３１やファンクションキー１３２等の各種キーを有する。操作部１３は、これらのキーがユーザによって操作された場合、その操作内容に対応する信号を発生し、これをユーザの指示として制御部２６に出力する。
【００３７】
レンズ１４は、被写体を撮影した像を撮像素子１５に供給する。
【００３８】
撮像素子１５は、例えばＣＣＤやＣＭＯＳセンサで構成されている。撮像素子１５は、レンズ１４で取り込んだ像を結像し、結像画像データを電気信号の画像信号として、カメラ信号処理部１６に出力する。
【００３９】
カメラ信号処理部１６は、カラー補間、ＲＧＢ変換処理、ＹＵＶ変換処理、圧縮、ファイリング等の所定の画像処理を行い、画像処理を施した画像データを制御部２６を介して記憶部２７へ格納したり、表示部１２に画像表示等を行う。
【００４０】
音声処理部１７は、制御部２６から供給された音声データに符号化、デジタル・アナログ（Ｄ／Ａ）変換、増幅等の信号処理を施し、アナログの音声信号に変換した上でスピーカ１１に出力する。
【００４１】
操作部２２は、例えばダイヤルキー２２１等で構成されている。各種キーには、各種機能（例えばカメラ機能）使用時に対応したキーが割り当てられている。操作部２２は、これらのキーがユーザによって操作された場合、その操作内容に対応する信号を発生し、これをユーザの指示として制御部２６に出力する。
【００４２】
音声処理部２４は、マイクロフォン２１から入力された音声を増幅し、アナログ・デジタル（Ａ／Ｄ）変換を行い、さらに符号化等の処理を施し、デジタルの音声データに変換した上で制御部２６に出力する。
【００４３】
検出部２５は、上下筐体のスライド状態が、閉状態（図４（Ａ））、第１のスライド状態（図４（Ｂ））、第２のスライド状態（図４（Ｃ））、開状態（図４（Ｄ））のいずれの状態であるかを検出し、検出結果をアプリケーション起動部２６１に出力する。
【００４４】
制御部２６は、携帯電話機１の全体的な動作を統括する。すなわち、制御部２６は、携帯電話機１の各種処理（カメラ機能に関する処理、ワンセグ機能に関する処理、ネットワークを介して行われる音声通話、電子メールの作成とその送受信、ＷＥＢサイトの閲覧等の制御）がユーザによる操作部１３、２２の操作に応じて適切な手順で実行されるように、上下筐体の各構成要素（表示部１２、操作部１３，２２、撮像素子１５、カメラ信号処理部１６、音声処理部１７，２４、信号伝達部２３、検出部２５、記憶部２７、通信部２８、ワンセグ受信部２９）を制御する。
【００４５】
制御部２６は、記憶部２７に格納されたプログラム（オペレーティングシステム、アプリケーションプログラム等）に基づいて処理を実行するコンピュータ（マイクロプロセッサ）を備えており、このプログラムにおいて指示された手順に従って上述した処理を実行することができる。すなわち、制御部２６は、記憶部２７に格納されたオペレーションシステムやアプリケーションプログラムから命令コードを順次読み込んで処理を実行することができる。
【００４６】
アプリケーション起動部２６１は、検出部２５の検出結果を参照し、上下筐体のスライド状態に対応したアプリケーションをスライド状態の検出後から所定時間経過後（好ましくは１秒程度経過後）に起動させる。具体的には、アプリケーション起動部２６１は、検出結果が第１のスライド状態であったときには、カメラ機能に関するアプリケーションを起動し、検出結果が第２のスライド状態であったときには、ワンセグ機能に関するアプリケーションを起動し、検出結果が開状態であったときには、音声通話可能状態にする。検出結果が閉状態であったときには、アプリケーションの起動は行われない。なお、アプリケーション起動部２６１が、露出した下筐体の２０の所定のキーが押下された後に、使用可能となるようにすることもできる。
【００４７】
記憶部２７は、例えば不揮発性の記憶デバイス（フラッシュメモリ）やＳＲＡＭ、ＤＲＡＭ等の記憶デバイス等で構成され、カメラ機能やワンセグ機能に関するアプリケーションプログラム、プログラムの処理過程で利用される一時的なデータ等を記憶する。
【００４８】
通信部２８は、制御部２６の制御に基づいて、通話等の音声データ、電子メール等の文字情報、動画像データ等のデータ通信を接続されている基地局との間でアンテナ２８１を介して無線通信する。
【００４９】
ワンセグ受信部２９は、デジタル地上波用のチューナ等を含み、図示しない放送局が送信しているデジタル地上波をアンテナ２９１を介して受信する。
【００５０】
磁石Ｍ１１〜Ｍ１８，Ｍ２１〜Ｍ２８は、例えばフェライト磁石のような磁性体であって、磁性体をコイル等で巻いた電磁石であってもよい。
【００５１】
上述した上下筐体の構成要素の多くは、回路基板上（図３を参照）に電子部品あるいは回路パターンとして実装されおり、磁石（Ｍ１１〜Ｍ１８、Ｍ２１〜Ｍ２８）が放つ磁界が回路基板上の電子部品等に与える影響を防止できるように、上下筐体はシールドされている。
【００５２】
次に、携帯電話機１の動作を図４および図７に関連付けて説明する。図７は、本実施携帯に係る携帯電話機の動作を説明するフローチャートである。
【００５３】
図７に図示するように、検出部２５は、上下筐体のスライド状態を検出する（ステップＳＴ１）。
【００５４】
検出結果が閉状態（図４（Ａ）を参照）であった場合（ＹＥＳ）、一連の処理は終了し、検出結果が閉状態でなかった場合（ＮＯ）、アプリケーション起動部２６１は、検出結果が第１のスライド状態（図４（Ｂ）を参照）であるか否かを判断する（ステップＳＴ３）。
【００５５】
検出結果が第１のスライド状態であった場合（ＹＥＳ）、アプリケーション起動部２６１は、カメラ機能に関するアプリケーションを第１のスライド状態の検出後から所定時間経過後に起動させ（ステップＳＴ４）、上筐体１０の背面Ｓ１に露出したレンズ１４にて被写体の撮像が可能となり、検出結果が第１のスライド状態でなかった場合（ＮＯ）、アプリケーション起動部２６１は、検出結果が第２のスライド状態（図４（Ｃ）を参照）であるか否かを判断する（ステップＳＴ５）。
【００５６】
検出結果が第２のスライド状態であった場合（ＹＥＳ）、アプリケーション起動部２６１は、ワンセグ機能に関するアプリケーションを第２のスライド状態の検出後から所定時間経過後に起動させ（ステップＳＴ６）、ワンセグ受信部２９がデジタル地上波を受信し、表示部１２にてデジタル地上波放送が視聴可能となり、検出結果が第２のスライド状態でなかった場合（ＮＯ）、アプリケーション起動部２６１は、開状態の検出後から所定時間経過後に音声通話可能状態にし（ステップＳＴ７）、一連の処理が終了する。
【００５７】
本実施形態によれば、複数の機能を有する携帯電話機１は、上筐体１０と、複数のキーが配置された下筐体２０と、上筐体１０を下筐体２０に対して、複数のキーが操作可能となるようにスライドさせるスライド部（８，８１）と、スライド部（８，８１）によるスライドを段階的に調整する複数の磁石Ｍ１１〜Ｍ１８，Ｍ２１〜Ｍ２８とを有する。
【００５８】
各々の磁石は、スライドが調整される度に操作可能となったキーによって異なる機能が使用可能となるように、上筐体１０および下筐体２０のスライド方向に沿って配置されていることから、上下筐体を段階的にスライド調整でき、調整時のスライド状態を保持することができる。スライド状態が携帯電話機等の携帯端末が有する機能に関連付けられていることで、素早くアプリケーションが起動し、アプリケーションの操作に必要な操作キーのみを露出させることができる。
【００５９】
スライド状態に応じて起動するカメラ機能、ワンセグ機能、および音声通話機能は一例であって、第１のスライド状態にワンセグ機能を割り当てたり、第２のスライド状態にカメラ機能を割り当てたり、開状態に電子メールに関する機能を割り当てる等、自由に改変可能である。言うまでもなく、スライド状態に応じて起動するアプリケーション等は、手動で起動させることができる。
【００６０】
スライドの段階についても、５段階に設定するなど、自由に改変可能にすることができる。この場合、スライドの段階に応じて磁石の個数を調整すればよい。一方向にスライド可能な携帯電話機だけでなく、下筐体の回転軸に対して上筐体が回転（例えば１８０度）するような携帯電話機（スライド回転方式）に対しても、本発明を適用することができる。
【００６１】
上筐体１０が有するいずれかの構成要素は、下筐体２０に配置されていてもよいし、下筐体２０が有するいずれかの構成要素も、上筐体１０に配置されていてもよい。例えば、レンズ１４、撮像装置１５およびカメラ信号処理部１６が下筐体２０に配置されていてもよいし、通信部２８やワンセグ通信部２９が上筐体１０に配置されていてもよい。
【００６２】
本実施形態では、携帯端末として携帯電話機を例示したが、本実施形態と同様の構成を有するＰＤＡ（Personal Digital Assistant）やゲーム機などにも適用可能である。
【図面の簡単な説明】
【００６３】
【図１】実施形態に係る携帯電話機の外観斜視図である。
【図２】実施形態に係る携帯電話機の背面側の外観斜視図である。
【図３】実施携帯に係るスライド機構を説明するための携帯電話機の断面図である。
【図４】実施携帯に係るスライド機構について説明するための上下筐体の斜視図である。
【図５】実施携帯に係るスライド機構について説明するための上下筐体の断面図である。
【図６】実施携帯に係る携帯電話機の主要構成例を示すブロック図である。
【図７】実施携帯に係る携帯電話機の動作を説明するフローチャートである。
【符号の説明】
【００６４】
１…携帯電話機、２…正面側ケース、３…背面板、５…正面側ケース、６…背面側ケース、７…蓋体、８…スライド部材、８１…電気接触部、Ｓ１…上筐体の背面、Ｓ２…上筐体の正面、Ｓ３…下筐体の正面、Ｓ４…下筐体の背面、１０…上筐体、１０Ａ、２０Ａ…回路基板、１１…スピーカ、１２…表示部、１３…操作部、１３１…多方向キー、１３２…ファンクションキー、１４…レンズ、１５…撮像素子、１６…カメラ信号処理部、１７…音声処理部、２０…下筐体、２１…マイクロフォン、２２…操作部、２２１…ダイヤルキー、２３…信号伝達部、２４…音声処理部、２５…検出部、２６…制御部、２６１…アプリケーション起動部、２７…記憶部、２８…通信部、２８１…通信部のアンテナ、２９…ワンセグ受信部、２９１…ワンセグ受信部のアンテナ、Ｍ１１〜Ｍ１８、Ｍ２１〜Ｍ２８…磁石
【図１】
2009267869.tif 000003
【図２】
2009267869.tif 000004
【図３】
2009267869.tif 000005
【図４】
2009267869.tif 000006
【図５】
2009267869.tif 000007
【図６】
2009267869.tif 000008
【図７】
2009267869.tif 000009